(57)【要約】      （修正有）【課題】掃除口本体と蓋部との勘合ねじ部に水垢等が付着し、接着剤のように固着し一層の大きな回転トルクを必要としても、簡易に蓋を脱着することができ、排水管内部の掃除の容易化を提供できるとともに、脱着時の蓋の破損を防止する。【解決手段】掃除口本体１に装着する蓋を外周部と中心部とに分割し、中心部には簡易な取り外し機構を設けて、外周部には大きなトルクを有する脱着機構とを構成した。【選択図】図１
2011247066.tif 000002
【特許請求の範囲】
【請求項１】
排水管の住宅設備金具であって、掃除口蓋を分割し、掃除口蓋は外周部と中心部とを有する掃除口蓋であって、脱着に大きな回転トルクを要する大口径用の排水管の掃除口から蓋の脱着を簡易にすることを特徴とする排水管の掃除口。
【発明の詳細な説明】
【技術分野】
【０００１】  本発明は排水管の中を掃除するための床面に設置する開閉可能な掃除口に関する。
【背景技術】
【０００２】  従来の排水管の掃除口は、排水管内部を掃除するため、床面に設置され、通常は排水管内部と床面とを遮断するための蓋が装着され、排水管内の臭気や排水等が床面に漏れるのを防ぎ、排水管内部を掃除するときには、その蓋を取り外すことができ、排水管内部を掃除することを可能とするものである。【０００３】  排水管の口径は３センチメートルから１５センチメートルを超えるものがあり、その蓋は排水管の口径に合わせて設定されている。【０００４】  以下、従来の掃除口について説明する。【０００５】  従来の掃除口は掃除口本体部と蓋部からなり、掃除口本体の内周部には内径ねじが、蓋部の外周部には外ねじが施されており、この勘合ねじを回転させ、締め付けることによりにより掃除口本体に蓋部が装着され、排水管内部と床面の排水管外部とを遮断することが可能となる。【０００６】  そして、勘合ねじを反対方向に回転させると、掃除口本体から蓋部が取り外れることになり、排水管の内部が露出することになる。【０００７】  排水管内部が露出することによって、排水管内部を掃除することが可能となるのである。【０００８】  そして、蓋部を回転させるためには２つの凹部を設け、そのピッチ寸法に合致する２つの凸部を有する蓋部脱着専用工具が採用され、当該凹部に凸部を挿入し、回転させることで蓋部の脱着が可能となるのである。
【特許文献１】
【非特許文献１】
【発明の開示】
【発明が開示しようとする課題】
【０００９】  以上に述べた従来の掃除口では、第１に、小口径の排水管については取り外し及び取り付けに対して、小さな回転トルクで作業することが可能であるが、大口径の場合には、大きな回転トルクを必要とし、掃除口本体と蓋部との勘合ねじ部に水垢等が付着し、その水垢等はいわば接着剤のように固着し一層の大きな回転トルクを必要とする場合も少なくない。
【００１０】  そして、第２に無理な取り外しのための回転作業を施行するため、蓋部に施された凹部を破損し、事後の脱着を不可能とし、ないしは凹部の破損が外側にバリとなって形成し、その上を歩行する者に外傷を引き起こす蓋然性を否定できないものであった。これは、掃除口が床面に設置され、その蓋が床面上に存在するため、美観上の関係からも、一定の大きさの凹部にならざるを得ないからである。したがって、必要以上の回転トルクを発生させることは不可能であると考えられる
【００１１】  本発明はこのような従来の掃除口の取り外しに要する大きな回転トルクに対して蓋部の凹部の破損という問題を解決しようとするものであり、容易に掃除口の取り外しを実現することを目的とするものである。
【課題を解決するための手段】
【００１２】  そして、本発明は上記目的を達成するために、以下の方策を講じ得る。すなわち、掃除口の蓋が装着している場合には外観には露出せず、蓋部の取り外しに要する十分な回転とトルクを伝達し得るための、凹部に代替する凸部を有することにより、その目的を実現したものである。
【００１３】  また、第２の課題解決手段は、過大な回転トルクをもって、切り欠き部を損傷してもその形成されたバリが床面上に突出しないことを実現するため、掃除口の蓋を中心蓋と外周蓋に分割して配置する構成としたものである。
【発明の効果】
【００１４】  上述したように本発明の排水管掃除口は大きな回転トルクを要する大口径の排水管であっても、専用工具により十分な回転トルクを伝達することができ、切り欠き部が破損しても中心蓋によって発生したバリを覆い隠し、さらに外周部の切り欠き部が破損しても、新たな掃除口の蓋に取り換えることが可能で、取り外しが困難となる事態を回避するという効果を発揮する。
【００１５】  さらに加えて、すでに設置されている掃除口であっても、掃除口の蓋を本案発明の掃除口の蓋に取り換えることが可能であり、排水管及び掃除口自体の取り換えに要する不要な工事を回避することができるのである。
【発明を実施するための最良の形態】
【００１６】  以下、本発明の実施の形態を図１〜図５に基づいて説明する。【００１７】  図においては、１は掃除口本体であり、１０は外周蓋であり、２０は中心蓋を示し、掃除口本体１の内周部には内ねじが、外周蓋１０の外径部には外ねじを有する。【００１８】  中心蓋２０の外周にはポリアセタール樹脂等の摺動性の良いシールドパッキン２１を装着する。これは、外周蓋１０に中心蓋２０を圧入することを可能とし、かつ、外周蓋１０と中心蓋２０との隙間に密着し、機密性を保持するものである。【００１９】  外周蓋１０の内周部と中心蓋２０に密着したシールドパッキン２１の外周部とは中間ばめ程度のはめあい機構を有し、中心蓋２０には外周蓋２から取り外すための引掛け溝２２を有する。中心蓋２０とシールドパッキン２１とのはめあいは、しまりばめとすることが望ましい。中心蓋２０とシールドパッキン２１との密着性が求められ、中心蓋を後述の中心蓋取り外し爪９０で外した場合にシールドパッキン２１が外周蓋１０の内周部に残存すると、後述の外周蓋取り外し治具８０が外周蓋１０の内周部等に勘合できず、シールドパッキン２１自体の取り外しが困難となることが予想されるからである。【００２０】この引掛け溝２２にマイナスドライバー等の平板状の中心蓋取り外し爪９０を挿入し捻ることにより中心蓋２０を取り外すことができるのである。ここで、シールドパッキン２１は外周蓋２０と中心蓋３０との機密性を保つことを目的とするものであるが、機密性のみを求めるのであれば、Ｏリングにより代用することができる。しかし、外周蓋１０から中心蓋２０を脱着容易とするためには、一定の摺動性を必要とするため、摺動性の良いポリアセタール樹脂等のシールドパッキンを使用することが望ましい。【００２１】  外周蓋１０の内周部にはその内側に突出する凸部１１を有し、これに勘合する切り欠き部８１を有する外周蓋脱着治具８０を挿入し、これを回転させることにより掃除口１の内周部の内ねじと外周蓋１０の外周部の外ねじとが勘合ねじであって、脱着が可能となる。【００２２】  ここで、外周蓋１０の凸部１１の代わりに切り欠き部を設け、外周蓋脱着治具８０の切り欠き部８１の代わりに外周蓋の切り欠き部に対応する凸部を外周部脱着治具に設けることにより、上記の脱着作用を保持することもできるが、係る場合には外周蓋の内径寸法が小さくならざるを得ない。【００２３】  外周蓋１０から中心蓋２０を取り外したのみであって、外周蓋１０を掃除口本体１に装着した状態であっても、簡易な排水管中の掃除が可能であり、外周蓋１０の内周部をできるだけ大きくできる観点からは、本案発明の外周蓋１０には凸部１１を、中心蓋脱着治具８０に切り欠き部８１を有する方が望ましい。【００２４】  なお、外周蓋１０と中心蓋２０との勘合については摺動性の良い樹脂のシールドパッキンによるはめあいの他、従来の小口径の掃除口の蓋を使用することでも、同様の機能を生じせしめる。すなわち、中心蓋を従来のその外周に外ねじ部を有し、外周蓋にそれに勘合する内ねじ部を有することによって、中心蓋を少ないトルクで脱着が可能であり、中心蓋を取り外した後は、本案発明の外周蓋脱着治具８０により大きな回転トルクを得ることができ、結果��には、簡易に掃除口の蓋の脱着が可能となるのである。
【図面の簡単な説明】
【００２５】
【図１】  本発明の実施形態を示す排水管掃除口の部分断面の側面図
【図２】  本発明の実施形態を示す排水管掃除口の部分断面の平面図
【図３】  掃除口本体の部分断面の側面図
【図４】  外周蓋の部分断面の側面図
【図５】  外周蓋の平面図
【図６】  中心蓋の部分断面の側面図
【図７】  中心蓋の平面図
【図８】  外周蓋脱着治具の斜視図
【図９】  中心蓋取り外し爪の斜視図
【符号の説明】
【００２６】  １  掃除口本体
１０  外周蓋
１１  外周蓋内径凸部
２０  中心蓋
２１  シールドパッキン
２２  中心蓋引掛け溝
８０  外周蓋脱着治具
８１  切り欠き部
９０  中心蓋取り外し爪
【図１】
2011247066.tif 000003
【図２】
2011247066.tif 000004
【図３】
2011247066.tif 000005
【図４】
2011247066.tif 000006
【図５】
2011247066.tif 000007
【図６】
2011247066.tif 000008
【図７】
2011247066.tif 000009
【図８】
2011247066.tif 000010
【図９】
2011247066.tif 000011